(57)【要約】【課題】撓みやすい容器であっても、蓋や別の容器を嵌合する際に、容器の撓みを矯正し、嵌合しやすくする嵌合型。【解決手段】プラスチック製の内容器と該内容器を装填可能な筒状スリーブとを嵌合させるための嵌合型であって、嵌合型は、向かい合う一対の平面と、該平面間に亘って設けられた一対の区切り部材と、平面の下部に設けられた支持片と、を備える。【選択図】図１
2015150801.tif 000002
【特許請求の範囲】
【請求項１】
プラスチック製の内容器と該内容器を装填可能な筒状スリーブとを嵌合させるための嵌合型であって、
該筒状スリーブのフラップを押圧することで筒状スリーブの撓みを矯正する嵌合型。
【請求項２】
前記嵌合型は、少なくとも１以上の区切り部材を有し、
前記区切り部材が筒状スリーブのフラップを押圧することで筒状スリーブの撓みを矯正する請求項１記載の嵌合型。
【請求項３】
プラスチック製の角錐台形状の内容器と該内容器を装填可能な筒状スリーブとを嵌合させるための嵌合型であって、
前記嵌合型は、向かい合う一対の平面と、
該平面間に亘って設けられた一対の区切り部材と、で構成される嵌合型。
【請求項４】
前記平面の下部に支持片をさらに備える請求項１〜３のいずれか一項に記載の嵌合型
【請求項５】
前記平面の上部にテーパー部を備える請求項１〜４のいずれか一項に記載の嵌合型。
【請求項６】
前記支持片からテーパー部先端までの高さが、筒状スリーブの高さよりも低い請求項１〜５のいずれか一項に記載の嵌合型。
【請求項７】
前記筒状スリーブと前記平面が当接するように傾斜が設けられた請求項１〜６のいずれか一項に記載の嵌合型。
【発明の詳細な説明】
【技術分野】
【０００１】
本発明は、嵌合型に関する。より詳しくは、内容器と該内容器を装填可能な筒状スリーブとを嵌合させるための嵌合型に関する。
【背景技術】
【０００２】
従来から、コーヒーやインスタント食品の容器として、発泡スチロール成形容器、ポリスチロール或いはポリオレフィン系プラスチックの二重構造壁のプラスチック系容器、プラスチック容器と紙容器の二重構造壁を有する複合容器、及び紙カップの外側にコルゲート加工紙層を有する紙カップなどが実用されている。
【０００３】
最近では、電子レンジで調理可能なインスタントご飯などが発売されており、好調な売れ行きを示している。この商品は水を加えて電子レンジで加熱調理するため、プラスチック容器が用いられる。しかし、プラスチック容器単体では加熱された内容物の熱がプラスチック容器を通して消費者の手に伝わってしまい、火傷をする恐れがある。そこで、プラスチック容器と紙容器の二重構造壁を有する複合容器が通常用いられている。
【０００４】
複合容器の製造方法としては、熱可塑性樹脂からなる樹脂容器を、別途折り畳むなどして形成された紙製の外装材と組み合わせる方法が一般的である（特許文献１参照）。
【０００５】
しかしながら、折り畳んで形成された紙製の外装材は、フラップが元に戻ろうと内側から外側に向かって外装材の壁面を押すため、外装材が撓みやすい。そのため、内側容器と外側容器を単純に嵌合させようとしても、撓みによって嵌合しづらくなってしまい、内側容器が外装材から浮いてしまうといった問題がある。また、内側容器が外装材から浮いてしまったものは、いわゆる不良品であり、生産コストを上げる原因となってしまう。
【０００６】
これらの問題点については、いまだ十分な検討がなされておらず、具体的な解決策も見つかっていない。
【先行技術文献】
【特許文献】
【０００７】
【特許文献１】特開２０１２−６２１１３
【発明の概要】
【発明が解決しようとする課題】
【０００８】
本発明は、上記問題点を鑑みてなされたものである。本発明の課題は、撓みやすい容器と他の容器と嵌合する際に、容器の撓みを矯正し、嵌合しやすくするためのものである。
【課題を解決するための手段】
【０００９】
上記課題解決のため、本発明は、内容器と該内容器を装填可能な筒状スリーブとを嵌合させるための嵌合型であって、該筒状スリーブのフラップを押圧することで筒状スリーブの撓みを矯正する嵌合型を提供する。
【００１０】
かかる構成によれば、筒状スリーブのフラップを押圧することで、筒状スルー部の撓みを矯正できる。これにより、容器同士の嵌合を確実に行うことができる。
【００１１】
また、本発明は、少なくとも１以上の区切り部材を有し、前記区切り部材が筒状スリーブのフラップを押圧することで筒状スリーブの撓みを矯正する構成としてもよい。
【００１２】
かかる構成によれば、区切り部材を設けることで、複数の容器を一度に矯正することができる。
【００１３】
本発明は、角錐台形状の内容器と該内容器を装填可能な筒状スリーブとを嵌合させるための嵌合型であって、前記嵌合型は、向かい合う一対の平面と、該平面間に亘って設けられた一対の区切り部材と、で構成される嵌合型を提供する。
【００１４】
かかる構成によれば、平面と区切り部材によって本来の寸法である空間が形成される。そして、この空間に筒状スリーブを挿入することで、筒状スリーブの撓みを矯正できる。これにより、内容器と筒状スリーブとの嵌合を確実に行うことができる。
【００１５】
また、本発明は、平面の下部に支持片を備えていることが好ましい。
【００１６】
かかる構成によれば、支持片によって筒状スリーブの固定位置が定まるため、それ以上筒状スリーブが嵌合型に嵌り込むことがない。これにより、筒状スリーブまたは複合容器が嵌合型から取り外しにくくなることを防ぐことができる。また、筒状スリーブの位置が固定されるため、筒状スリーブにセットされた内容器を上部からプレスして、内容器との嵌合・接着を確実ならしめることができる。
【００１７】
さらに、本発明は、平面の上部にテーパー部を備えていることが好ましい。
【００１８】
かかる構成によれば、テーパー部を設けることで、筒状スリーブを平面と区切り部材で仕切られた空間へと導きやすくすることができる。
【００１９】
本発明は、支持片からテーパー部先端までの高さが、筒状スリーブの高さよりも低いことが好ましい。
【００２０】
かかる構成によれば、筒状スリーブにセットされた内容器を上部からプレスする際に、プレス機と嵌合型が接触するおそれがないため、内容器と筒状スリーブの嵌合を確実に行うことができる。
【００２１】
また、本発明は、前記平面が前記筒状スリーブと当接するように傾斜が設けられていることが好ましい。
【００２２】
かかる構成によれば、平面の傾斜が筒状スリーブと当接するように同じ角度で設けられているため、筒状スリーブの矯正をより確実に行うことができる。
【発明の効果】
【００２３】
本発明により、容器の撓みを簡単に矯正することができ、容器同士の嵌合を効率よく行うことができる嵌合型が提供される。
【図面の簡単な説明】
【００２４】
【図１】本発明に係る嵌合型の斜視図である。
【図２】本発明に係る嵌合型に筒状スリーブをセットしたときの状態を示す概略図である。
【図３】筒状スリーブに内容器を組み合わせたときの平面図およびＸ−Ｘ断面を表す図であって、（ａ）が筒状スリーブに撓みがない場合を表し、（ｂ）が筒状スリーブに撓みがある場合を表す説明図である。
【図４】他の実施例に係る嵌合型を表す説明図である。
【図５】他の実施例に係る嵌合型を表す説明図である。
【発明を実施するための形態】
【００２５】
以下、本発明を実施するための好適な形態について図を用いつつ、説明する。なお、以下に説明する実施形態は、本発明の代表的な実施形態の一例を示したものであり、これにより本発明の範囲が狭く解釈されることはない。
また、本実施例においては、筒状スリーブ及び内容器が逆角錐台形状のものを例に説明する。
【００２６】
＜嵌合型１＞
図１は、本発明に係る嵌合型１を示した斜視図である。本実施例に係る嵌合型１は、互いに対向して配置される金属製の一対の平面２と、この一対の平面２の間に介在し、互いに対向して配置される金属製の一対の区切り部材３と、で構成される。そして、このような嵌合型１は、上部の開口部から筒状スリーブと内容器を挿入して使用される。
【００２７】
＜平面２＞
図１に示すように、平面２は、筒状スリーブを収容するための空間を形成する部材である。平面２は、下部に支持片２１を、さらに上部にテーパー部２２を有している。
【００２８】
平面２は、互いに対向して配置されるとともに、上部から下部に向かうにしたがって内側（すなわち、互いに近づく方向）に傾斜している。なお、平面２の傾斜角は、筒状スリーブＳ（図３（ａ）参照）の壁面の傾斜角とほぼ同じである
【００２９】
平面２は、外力がかかっても変形しない程度の剛性を持つ材料であればよく、例えば、ステンレス、鉄、銅、アルミなどで構成されている。本実施例では、平滑面を有するステンレスの金属板を切り出し、折り曲げ加工して、所定の形状に形成している。
【００３０】
［支持片２１］
支持片２１は筒状スリーブＳ（図３（ａ）参照）を嵌合型１に設置した際に、筒状スリーブＳが嵌合型１に嵌り込み過ぎないようにするためのものであって、図１に示すように、平面２下部のほぼ中央に設けられている。このような支持片２１は、平面２を切り出す際に、平面２と一体的に切り出され、折り曲げ加工することで形成される。また、支持片２１同士は内側（すなわち、互いに近づく方向）に向かって折り曲げられている。なお、本実施例においては、支持片２１同士は接触しない程度に、支持片２１間に間隙が設けられているが、これに限られるものではなく、支持片２１同士が連結している構造であっても良い。
【００３１】
［テーパー部２２］
図１に示すように、テーパー部２２は、平面２上部を開口部が広がる方向（すなわち、互いに離反する方向）に形成されている。このようなテーパー部２２は、平面２の一部を折り曲げ加工して一体形成することができる。本実施例では、テーパー部２２を直線形状としているが、これに限られるものではなく、弧を描くように形成しても良い。また、テーパー部２２を別部材で構成し、平面２と接合しても良い。
【００３２】
＜区切り部材３＞
区切り部材３は、一対の平面２と組み合わされることで、筒状スリーブＳ（図３（ａ）参照）を収容するための空間を形成するためのものである。図１に示すように、本実施例では、区切り部材３として金属棒を用いているが、これに限られるものではなく、多角形または円柱状の部材や板状の部材を用いても良い。また、区切り部材３は、筒状スリーブＳの一部にのみ接触するようになっているが、これに限られるものではなく、筒状スリーブＳ全面と触れるようにしても良い。
【００３３】
このような区切り部材３は、図１に示すように、互いに対向して配置されるとともに、同じ高さで平面２に溶接され、固定されている。また、平面２と区切り部材３は、平面視矩形状となるように、平面２と区切り部材３が直角をなすように設置されている（図示せず）。
【００３４】
≪嵌合型１の作用効果≫
次に、嵌合型１の動作について適宜図面を参照しながら説明しつつ、嵌合型１の作用効果について説明する。なお、ここでは折り畳んで作成した筒状スリーブを例に説明する。
【００３５】
＜嵌合型１の動作＞
まず、定法に従って作成した筒状スリーブＳおよび内容器Ｃ（図３（ａ）参照）をそれぞれ筒状スリーブ供給装置および内容器供給装置に充填する（図示せず）。
【００３６】
搬送用コンベアに設置された嵌合型１（図１参照）に筒状スリーブ供給装置から筒状スリーブＳが供給され、セットされる。このとき、嵌合型１にはテーパー部２２が設けられているため、筒状スリーブＳがテーパー部２２に沿って嵌合型１に導かれやすくなっている。本実施例では、筒状スリーブＳ組み立ての際に折り畳まれフラップが、区切り部材３側にくるようにセットされる。なお、フラップが平面２側にくるようにセットしても良い。
【００３７】
図２に示すように、セットされた筒状スリーブＳは、フラップによって撓みが発生しているため、筒状スリーブＳの底面は、支持片２１には到達しておらず、嵌合型１に中空保持された状態となっている。
【００３８】
次に、搬送用コンベアは、筒状スリーブＳを糊打ち装置の下まで運ぶ。運ばれてきた筒状スリーブＳに対して、糊打ち装置から糊が滴下または噴霧される（図示せず）。なお、粘性の糊を用いた場合、糊が自重で垂れていくため好ましい。
【００３９】
糊打ちの位置としては、筒状スリーブＳの内面で、開口部付近に糊打ちされるのが好ましい。もしくは、後記するプレスを行った際に、筒状スリーブＳと区切り部材３とが当接する箇所に対応する筒状スリーブＳの内面箇所に糊が付着していることが好ましい。これは、用途に応じて筒状スリーブＳの底面と内容器Ｃの底面との間に空間を設けている場合があるため、糊打ちする場所によっては、筒状スリーブＳと内容器Ｃを接着させることができないためである。
【００４０】
糊打ちされた筒状スリーブＳは、内容器供給装置の下に運ばれ、内容器Ｃが供給される。
【００４１】
ここで、内容器Ｃは、図３に示すように、フランジＦが折り曲げられ、内容器の断面図が‘コ‘の字を左に９０度回転させたような形状となっている。このような形状とすることで、筒状スリーブＳを内容器Ｃの外壁と折り曲げられたフランジＦとの間に嵌合させることができる。
【００４２】
供給された内容器Ｃは嵌合型１にセットされた筒状スリーブＳと組み合わされる。このとき、筒状スリーブＳに撓みがない場合には、図３（ａ）に示すように、筒状スリーブＳが内容器Ｃの折り曲げられたフランジＦと外壁との間に嵌り込む。一方、筒状スリーブＳに撓みがある場合には、図３（ｂ）に示すように、内容器Ｃは筒状スリーブＳに対して本来想定していた位置まで落下できず、内容器Ｃは筒状スリーブＳの淵に引っかかっている状態となる。
【００４３】
続いて、プレス機によって、組み合わされた筒状スリーブＳと内容器Ｃが、上部からプレスされる。このとき、内容器Ｃとともに筒状スリーブＳが嵌合型１に押し込まれる形となる。ここで、本発明に係る嵌合型１の高さ（すなわち、支持片２１からテーパー部２２先端までの高さ）は、筒状スリーブＳよりも低く設定されている。そのため、プレス機が嵌合型１に接触することなくプレスすることができ、筒状スリーブＳと内容器Ｃを嵌合型１に押し込むことができる。
【００４４】
プレスされると、筒状スリーブＳは底面が支持片２１に接するまで平面２および区切り部材３に沿って嵌合型１に押し込まれる。本実施例においては、筒状スリーブＳのうち、フラップのない面（撓みの少ない面）が平面２に当接しながら押し込まれ、撓みが矯正される。一方、フラップのある面（撓みの強い面）は、区切り部材３に当接しながら押し込まれ、撓みが矯正される。筒状スリーブＳは支持片２１に当接すると、それ以上は嵌合型１に対して押し込まれず、意図した形状への矯正が完了する。さらに上部からプレスされることで、内容器Ｃが筒状スリーブＳに対して押し込まれ、図３（ａ）に示すように、内容器Ｃの外壁と折り曲げられたフランジＦとの間に筒状スリーブＳが入り込み、圧着され、複合容器が完成する。
【００４５】
完成した複合容器は、嵌合型１から外され、内容物の充填に回される。ここで、本実施例においては、嵌合型１の支持片２１が筒状スリーブＳの底面全体を覆っていない。そのため、複合容器の底を図示しない取り外し装置で押し上げることで、嵌合型から複合容器を簡単に取り外すことが可能である。
【００４６】
以上のように、本発明の嵌合型によれば、筒状スリーブの撓みを矯正するとともに、内容器との嵌合も同時に行うことができるため、生産性が良く、不良品による生産コストの低下を防ぐことができる。
【００４７】
＜その他の実施例＞
先の実施例では、嵌合型を一対の平面と一対の区切り部材とで構成したが、これに限られるものではなく、例えば次のような嵌合型を成型しても良い。
【００４８】
本発明に係る嵌合型は、金属板をプレス加工することで成型しても良い。また、予めいくつかに切断された板を組み合わせて溶融接着したものや、予め切れ目を入れておいた金属板を折り曲げた上で辺同士を溶融接着して成型しても良い。
【００４９】
プレス加工や切れ目を入れておいた金属板を折り曲げて成型する場合、嵌合型の底面が支持片の役割をすることとなる。係る嵌合型の場合、筒状スリーブを押し込むと、嵌合型と筒状スリーブとの間が陰圧になってしまい、複合容器を嵌合型から外しにくくなってしまう。そのため、嵌合型の平面又は／及び底面に穴やスリットを設けることで、嵌合型と筒状スリーブとの間が陰圧とならないようにすることが好ましい。これにより、嵌合型から複合容器を外れやすくすることができる。
【００５０】
また、筒状スリーブ全面を平面で覆う場合、それぞれの平面の下部に支持片を設けても良い。全ての平面に支持片を設けることで、より安定して筒状スリーブを支持することができる。
【００５１】
また、他の実施例としては、図４に示すように、区切り部材を湾曲させた平面３１としてもよい。湾曲させた平面３１とした場合、筒状スリーブとの接触が線接触となるが、この場合においても筒状スリーブの撓みを矯正することができる。平面の湾曲具合としては、下部から上部に向かう従って、外側（互いに離反する方向）に反り返るように構成してもよいし、Ｃの字（逆Ｃの字）やＵの字を９０度回転させたような構造としてもよい。平面を湾曲させた場合、内側に最も突出した部分によって、筒状スリーブの側面が矯正されることが重要である。
【００５２】
上記実施例では区切り部材として金属棒を例示したが、ローラ構造としても良い。ローラは、従来知られているローラであれば、特に制限されるものではなく、例えば、ローラ軸と、ベアリングと、ローラパイプで構成されるものが一般的である。また、金属棒の両端面に軸となる凸部を設け、平面に軸受けの凹部を設けた構造としてもよい。さらに、容器とローラとの間でカラ滑りしないように、ローラパイプの表面にゴム膜などの滑り止めを設けてもよい。
【００５３】
ローラの幅としては、上記した平面間全てにわたって設置されていることが好ましいが、これに限られるものでなく、筒状スリーブ側面の中心に当接する幅であればよい。
【００５４】
また、上記実施例では、嵌合型が１つのものについて説明したが、それに限られるものではなく、嵌合型が連続して設けられていても良い。例えば、図５に示すように、一対の平面２に複数の区切り部材３を設けることで構成することができる。
【００５５】
さらに、上記実施例では複合容器の形状が角錐台である場合を例にとって説明したが、これに限られるものではない。例えば、湾曲させた１つの平面と２つの区切り部材、または、湾曲させた２つの平面と１つの区切り部材とを組み合わせることによって平面視三角形状としてもよい。三角形状とすることで、円形容器についても利用することができる。また、複数の平面と複数の区切り部材とを組み合わせることで、多角形状に応用することも可能である。
【００５６】
さらに、本発明は、積層容器に限らず、蓋付きの容器についても応用可能である。例えば、蓋付きの飲料カップを本発明にかかる矯正機構にセットし、プレスして容器の形状を矯正した後、蓋をプレスすることで、撓みやすい飲料カップについても容易に蓋をすることができる。
【符号の説明】
【００５７】
１    嵌合装置
２    平面
２１  支持片
２２  テーパー部
３    区切り部材
Ｃ    内容器
Ｆ    フランジ
Ｓ    筒状スリーブ
【図１】
2015150801.tif 000003
【図２】
2015150801.tif 000004
【図３】
2015150801.tif 000005
【図４】
2015150801.tif 000006
【図５】
2015150801.tif 000007